(57)【特許請求の範囲】
【請求項１】
室内の換気を行う換気グリルであって、
空気が通過する開口部を有する装置本体と、
前記装置本体の前記開口部に取り付けられた前記空気の風量を調節する風量調整手段とを備え、
前記風量調整手段は、
前記開口部に支持部材を介して設けられた軸部と、
前記軸部の軸方向に沿って重ねて回動可能に取り付けられた複数の調整部材とを有し、
前記調整部材には、該調整部材を前記装置本体に押え付けるための押圧部が設けられ、
前記複数の調整部材のうち、隣接する前記調整部材の少なくとも一方の調整部材の対向面は、その中央部から端部に向かって前記調整部材の厚みが厚くなるように傾斜し、
前記装置本体の前記開口部には、前記開口部を通過する前記空気を整流するための整流部が設けられ、
前記整流部は、前記空気の風路に対して前記調整部材よりも上流側に設けられた
ことを特徴とする換気グリル。
【請求項２】
室内の換気を行う換気グリルであって、
空気が通過する開口部を有する装置本体と、
前記装置本体の前記開口部に取り付けられた前記空気の風量を調節する風量調整手段とを備え、
前記風量調整手段は、
前記開口部に支持部材を介して設けられた軸部と、
前記軸部の軸方向に沿って重ねて回動可能に取り付けられた複数の調整部材を有し、
前記調整部材の外周部には、前記開口部が形成された前記装置本体の周面に当接することで該調整部材を前記装置本体に押え付ける弾性部が設けられ、
前記複数の調整部材のうち、隣接する前記調整部材の少なくとも一方の調整部材の対向面は、その中央部から端部に向かって前記調整部材の厚みが厚くなるように傾斜し、
前記装置本体の前記開口部には、前記開口部を通過する前記空気を整流するための整流部が設けられ、
前記整流部は、前記空気の風路に対して前記調整部材よりも上流側に設けられた
ことを特徴とする換気グリル。
【請求項３】
前記複数の調整部材のうち、隣接する前記調整部材の少なくとも一方の前記調整部材の対向面には、隣接した前記調整部材方向に突出するリブが設けられた
ことを特徴とする請求項１または請求項２に記載の換気グリル。
【発明の詳細な説明】
【技術分野】
【０００１】
本発明は、例えば室内の天井や壁面に取り付けられ、室内に空気を給気または室内の空気を吸気する換気グリルに関する。
【背景技術】
【０００２】
近年の住宅等の建物には、室内に空気を給気するまたは室内の空気を吸気する２４時間換気システムが設置されている。換気システムは、外気を吸い込んで室内に給気等を行う換気装置と、この換気装置とダクトを介して接続され、換気装置から供給される空気を室内に吹き出す換気グリルとを備えている。
【０００３】
換気グリルとしては、例えば、空気の通過する開口部を有する筒体と、この筒体内を通る空気の風量を調整（風路を遮断）する複数の調整板とを有し、最前端側に配置された第１調整板を回動させた際、この第１調整板が所定角度回動していく毎に、第１調整板の後ろ側にある調整板が前から順番に第１調整板とともに回動して風路を遮断する面積が大きくなるようした換気グリルが開示されている（特許文献１参照）。この換気グリルによれば、簡単な構造で風量を調整することができる。
【０００４】
【特許文献１】特開２００４−３０９０３７号公報
【発明の開示】
【発明が解決しようとする課題】
【０００５】
ところで、上記特許文献１に開示される換気グリルでは、複数の調整板が軸部の軸方向に重ねられ、これらの調整板が軸部によって回動可能に支持されている。このとき、調整板はその中央部のみが軸部によって軸支されるため、調整板ががたついてしまう場合がある。これにより、通過する空気によって調整板が振動してしまい、ビビリ音が発生してしまう場合がある。さらには、調整板のがたつきにより、隣接した調整板間の気密性が確保できず、例えば調整板の全閉時に室内と室外とで気体を流通させるおそれがある。
【０００６】
そこで、本願発明は、上記課題を解決するものであり、その目的は、軸部に支持された調整部材のがたつきを防止した換気グリルを提供することにある。
【課題を解決するための手段】
【０００７】
本発明は、上記課題を解決するために、空気が通過する開口部を有する装置本体と、前記装置本体の前記開口部に取り付けられた前記空気の風量を調節する風量調整手段とを備え、前記風量調整手段は、前記開口部に支持部材を介して設けられた軸部と、前記軸部の軸方向に沿って重ねて回動可能に取り付けられた複数の調整部材とを有し、前記調整部材には、該調整部材を前記装置本体に押え付けるための押圧部が設けられ、前記複数の調整部材のうち、隣接する前記調整部材の少なくとも一方の調整部材の対向面は、その中央部から端部に向かって前記調整部材の厚みが厚くなるように傾斜し、前記装置本体の前記開口部には、前記開口部を通過する前記空気を整流するための整流部が設けられ、前記整流部は、前記空気の風路に対して前記調整部材よりも上流側に設けられたことを特徴とする。
【０００８】
本願発明では、調整部材にこの調整部材を装置本体に押え付けるための押圧部が設けられるため、調整部材が装置本体に押え付けられた状態となり、調整部材のがたつきが防止される。これにより、空気が通過する際の調整部材の振動が抑制され、これに伴うビビリ音の発生を防止できる。押圧部は、後述する調整部材の外周に設けられる弾性部や調整部材の他の調整部材との対向面に設けられるリブ、この対向面を調整部材の中央部から端部に向かって傾斜させたものを含むものである。
【０００９】
また本発明の換気グリルは、空気が通過する開口部を有する装置本体と、前記装置本体の前記開口部に取り付けられた前記空気の風量を調節する風量調整手段とを備え、前記風量調整手段は、前記開口部に支持部材を介して設けられた軸部と、前記軸部の軸方向に沿って重ねて回動可能に取り付けられた複数の調整部材を有し、前記調整部材の外周部には、前記開口部が形成された前記装置本体の周面に当接することで該調整部材を前記装置本体に押え付ける弾性部が設けられ、前記複数の調整部材のうち、隣接する前記調整部材の少なくとも一方の調整部材の対向面は、その中央部から端部に向かって前記調整部材の厚みが厚くなるように傾斜し、前記装置本体の前記開口部には、前記開口部を通過する前記空気を整流するための整流部が設けられ、前記整流部は、前記空気の風路に対して前記調整部材よりも上流側に設けられたことを特徴とする。
【００１０】
本願発明では、調整部材の外周部に設けられた弾性部が装置本体の周面に当接することで、弾性部が装置本体の周面により付勢される一方で反発力（復元力）が発生する。これにより、調整部材が弾性部を介して本体装置を押え付ける状態となり、調整部材のがたつきが防止される。
【００１１】
また本願発明の換気グリルは、空気が通過する開口部を有する装置本体と、前記装置本体の前記開口部に取り付けられた前記空気の風量を調節する風量調整手段とを備え、前記風量調整手段は、前記開口部に支持部材を介して設けられた軸部と、前記軸部に回動可能に取り付けられた複数の調整部材とを有し、前記複数の調整部材は、前記軸部の軸方向に沿って重ねて取り付けられ、前記複数の調整部材のうち、隣接する前記調整部材の少なくとも一方の前記調整部材の対向面には、隣接した前記調整部材方向に突出するリブが設けられたことを特徴とする。
【００１２】
本願発明では、隣接した調整部材のうち少なくとも一方の調整部材の対向面にリブを設けるため、対向面から突出したリブにより隣接する調整部材が押圧される。これにより、隣接した調整部材同士を互いに密着させて重ねることができ、換気グリルの気密性を高めることができる。
【００１３】
また本願発明の換気グリルは、空気が通過する開口部を有する装置本体と、前記装置本体の前記開口部に取り付けられた前記空気の風量を調節する風量調整手段とを備え、前記風量調整手段は、前記開口部に支持部材を介して設けられた軸部と、前記軸部に回動可能に取り付けられた複数の調整部材とを有し、前記複数の調整部材は、前記軸部の軸方向に沿って重ねて取り付けられ、前記複数の調整部材のうち、隣接する前記調整部材の少なくとも一方の調整部材の対向面は、その中央部から端部に向かって前記調整部材の厚みが厚くなるように傾斜したことを特徴とする。
【００１４】
本願発明では、調整部材の対向面側をその中央部から端部に向かって調整部材の厚みが厚くなるように傾斜させるため、この板厚により隣接する調整部材が押圧される。これにより、隣接した調整部材同士を互いに密着させて重ねることができ、換気グリルの気密性を高めることができる。
【発明の効果】
【００１５】
本願発明では、調整部材にこの調整部材を装置本体に押え付けるための押圧部が設けられるため、調整部材が装置本体に押え付けられた状態となり、調整部材のがたつきが防止される。これにより、空気が通過する際の調整部材の振動が抑制され、これに伴うビビリ音の発生を防止できる。
【００１６】
また、本願発明では、調整部材の外周部に設けられた弾性部が装置本体の周面に当接することで、調整部材が弾性部を介して本体装置を押え付ける状態となり、調整部材のがたつきが防止される。
【００１７】
また、本願発明では、隣接した調整部材のうち少なくとも一方の調整部材の対向面にリブを設けることで、隣接した調整部材同士を互いに密着させて重ねることができ、換気グリルの気密性を高めることができる。
【００１８】
さらに、本願発明では、調整部材の対向面側をその中央部から端部に向かって調整部材の厚みが厚くなるように傾斜させることで、隣接した調整部材同士を互いに密着させて重ねることができ、換気グリルの気密性を高めることができる。
【発明を実施するための最良の形態】
【００１９】
［第１の実施の形態］
以下、本発明の実施形態につき、図面を参照して説明する。
【００２０】
＜換気グリル＞
図１は、本発明の一実施形態に係る換気グリル１０の構成を示す分解斜視図である。図２は、換気グリル１０の構成を示す斜視図である。図３は、換気グリル１０の裏面側の構成を示す斜視図である。図４は、換気グリル１０の構成を示す断面図である。図５は、装置本体１２の構成を示す平面図である。図６は、フロントパネル４０構成を示す斜視図である。
【００２１】
図１〜図６に示すように、本発明に適用される換気グリル１０は、室外からの空気が供給される装置本体１２と、装置本体１２を通過させる空気の風量を調節する風量調整手段３０と、装置本体１２に対向して所定間隔を隔てて取り付けられたフロントパネル４０とを有する。装置本体１２、風量調整手段３０およびフロントパネル４０のそれぞれは樹脂材料からなる。なお、本実施の形態において、換気グリル１０のフロントパネル４０側を前方とし、装置本体１２側を後方とする。
【００２２】
装置本体１２とフロントパネル４０との間には、風量調整手段３０により風量調整された空気が通過する風路が設けられる。風路の両端部に位置する装置本体１２とフロントパネル４０との間には、風路を通過した空気を室内に吹き出すための吹出口４８が設けられる。
【００２３】
装置本体１２は、前端および後端が開口された円筒状をなす筒体１６と、筒体１６の前端に取り付けられたフランジ部１４とから構成される。筒体１６は、その他端部が図示しないダクトに連結されており、室外からダクトを介して取り入れられた空気を室内に供給する。ダクトは、例えば屋外や他の室（洗面所）に接続される。なお、フランジ部１４については便宜上、後述において説明する。
【００２４】
風量調整手段３０は、筒体１６の開口部１７の略中央部に設けられた軸部１８と、この軸部１８に回動可能に取り付けられた整流部材としての複数の風量調整板３１，３２，３３と、風量調整板３１，３２，３３の外周部に設けられた弾性部材３６（図７参照）とを有する。
【００２５】
軸部１８は、円筒状をなし、その基端部１８ａを除いた部分が軸方向に沿って断面半円形状に分割されており、それぞれが基端部１８ａによって弾性的に支持される。軸部１８の前端外周面には、風量調整板３１〜３３を軸部１８に取り付け固定するための爪部１９が設けられる。軸部１８の基端部１８ａには、筒体１６の開口部１７内周面から軸部１８に向かって延びる支持部材２０が取り付けられており、この支持部材２０によって軸部１８が開口部１７の略中央部で支持される。支持部材２０は、軸部１８から互いに反対の径方向に延びる扇状をなし、本例では後述する整流板としても機能している。
【００２６】
風量調整板３１〜３３は、軸部１８の軸方向に沿ってこの順番に重ねられ、軸部１８によって回動可能に支持されている。本例では、最前端に配置された風量調整板３１の回動に連動して、後方に配置される風量調整板３２，３３が順番に回動するように構成される。
【００２７】
次に、最前端に取り付けられた風量調整板３１の構成を説明する。図７（Ａ）は最前端に取り付けられた風量調整板３１の構成を示す平面図であり、図７（Ｂ）はその正面図であり、図７（Ｃ）その側面図である。図８（Ａ）および図８（Ｂ）は弾性部材３６の構成を示す図である。図９（Ａ）は最前端に取り付けられた風量調整板３１の裏面側の構成を示す斜視図であり、図９（Ｂ）は風量調整板３１の要部Ｄの拡大図である。
【００２８】
図７（Ａ）〜図７（Ｃ）に示すように、最前端に配置される風量調整板３１は、その中央部に軸孔３１ｄが形成された円形部３１Ａと、円形部３１Ａから互いに反対の径方向に延びた扇状をなす平板部３１Ｂとを有する。平板部３１Ｂには周面３１ｅの一端側が切り欠かれた段差部３１ｇが設けられる。
【００２９】
図８（Ａ）に示すように、風量調整板３１の一端側の周縁部には弾性部材３６が設けられる。弾性部材３６は、ばね部３６ａとその一端部に形成された突出部３６ｂとから構成される。
【００３０】
ばね部３６ａは、その一端部３６１ａが平板部３１Ｂの段差部３１ｇに取り付けられると共にその他端部３６２ａが自由端とされ、いわゆる片持ばねの構造を有している。このばね部３６ａは、平板部３１Ｂの周面３１ｅに沿うようにして円弧状に延在し、平板部３１Ｂの周面３１ｅと一定の間隔を隔てて設けられる。ばね部３６ａの他端部３６２ａは、平板部３１Ｂの線分ＡＢの延長線上まで延在しており、その外周面には外方向に突出した突出部３６ｂが設けられる。この突出部３６ｂは、筒体１６の内径よりも若干外側に位置し、図８（Ｂ）に示すように、風量調整板３１を軸部１８に装着すると、突出部３６ｂが筒体１６の内周面１６ａに当接することで内側（径）方向にばね部３６ａが付勢される。これに伴い、ばね部３６ａはその固定端３６１ａを支点として内側方向に撓む。このとき、筒体１６によって付勢される付勢力Ｐ１とばね部３６ａの復元力Ｐ２とがつり合い、風量調整板３１が所定位置で押え付けられた状態となる。
【００３１】
風量調整板３１の周面３１ｅの両端のそれぞれには、図７および図８に示すように、後方に配置される風量調整板３２の移動範囲を規制するための係止部３１ａ，３１ｃが設けられる。この係止部３１ａ，３１ｃは、周面３１ｅから外（径）方向に突出している。本例では、係止部３１ａは、上述した突出部３６ｂとしても機能する。
【００３２】
風量調整板３１の後側の面（裏面）には、図９（Ａ）および図９（Ｂ）に示すように、後方に配置される風量調整板３２との隙間を埋めるためのリブ３１ｆが設けられる。リブ３１ｆは、平板部３１Ｂの平面から突出しており、風量調整板３１の周縁部の全周に亘って形成される。また、リブ３１ｆ（の風量調整板３２との対向面）は、風量調整板３１の中央部から両端部に向かってリブ３１ｆの高さ（厚み）が徐々に高くなるように傾斜している。なお、リブ３１ｆは、傾斜を持たせることなく、風量調整板３１の裏面から突出させるだけでも良い。また、風量調整板３１の裏面の周縁部に沿ってリブ３１ｆを形成するのではなく、その裏面全体を風量調整板３１の中央部から両端部に向かってその板厚が厚くなるような傾斜面としても良い。
【００３３】
次に、上述した風量調整板３１の後方に配置される風量調整板３２，３３の構成について説明する。図１０（Ａ）は風量調整板３１の後方に配置された風量調整板３２の構成を示す平面図であり、図１０（Ｂ）はその正面図であり、図１０（Ｃ）はその側面図である。なお、風量調整板３２，３３は同一の構成であるため、本例では風量調整板３２についてのみ説明する。また、風量調整板３１と同一の構成部分については説明を省略する。
【００３４】
図１０（Ａ）〜図１０（Ｃ）に示すように、風量調整板３２は、その中央部に軸孔３２ｄが形成された円形部３２Ａと、円形部３２Ａから対称方向に延びる扇状の平板部３２Ｂとを有する。風量調整板３２の周面３２ｅの両端のそれぞれには、前方および後方に配置される風量調整板３１，３３の移動範囲を規制するための係止部３２ａ，３２ｃが設けられる。係止部３２ａ，３２ｃは周面３２ｅから外（径）方向に突出し、このうち係止部３２ｃは径方向に対してさらに垂直方向に突出している。係止部３２ｃ近傍からは風量調整板３２の円弧に沿うようにして突出した隙間調整部材３２ｇが設けられる。隙間調整部材３２ｇは、風量調整板３１のばね部３６ａと周面３１ｅとの隙間（図８（Ａ）参照）を埋めるための部材であり、これにより風量調整板３１，３２間の密着性（気密性）が高められる。風量調整板３２の周縁部には弾性部材３６が設けられる。風量調整板３２は、いわゆる片持ばねの構造を有したばね部３６ａの自由端の外周面に設けられた突出部３６ｂ（３２ａ）とを備える。
【００３５】
次に、上述した風量調整板３１〜３３を、軸部１８の軸方向に重ねて取り付けた場合の機能例について説明する。図１１（Ａ）〜（Ｃ）は、上述した風量調整板３１〜３３を、軸部１８の軸方向に重ねて取り付けた場合の機能例を説明するための図である。  
図１１（Ａ）および図１１（Ｂ）に示すように、風量調整板３１〜３３を軸部１８に取り付ける前の状態では、風量調整板３１にはリブ３１ｆが設けられるため、風量調整板３１の周縁部を含む周辺が風量調整板３２に当接し、その他の部分は若干浮いた状態となる。
【００３６】
図１１（Ｃ）に示すように、風量調整板３１〜３３を軸部１８に取り付けた後の状態では、最前端の風量調整板３１の中央部が軸部１８によって押え付けられ、風量調整板３１がその弾性力により湾曲して付勢されることで、その裏側の全面が風量調整板３２の対向面３２ｈに当接する。このように、風量調整板３１のリブ３１ｆにより常に風量調整板３１が付勢されている状態となり、風量調整板３１〜３３同士が互いに密着して重ねられ、隣接した風量調整板３１〜３３間の隙間が埋められる。
【００３７】
次に、装置本体１２の開口部１７に設けられる第１の整流板２２について説明する。図１２（Ａ）は筒体１６の開口部１７に設けられた第１の整流板２２の構成を示す図であり、図１２（Ｂ）は図３に示す要部Ａの拡大図である。
【００３８】
図１２（Ａ）および図１２（Ｂ）に示すように、整流部としての第１の整流板２２は、風量調整板３１〜３３よりも風路の上流側に設けられ、ダクトからの空気を整流させて下流側に送風するものである。本例では支持部材２０の裏面側に設けられる。また第１の整流板２２は、後方（上流）に向かって幅が狭くなるように略逆くの字状に折り曲げられて形成され、後方から流入される空気抵抗が小さくなるような形状となっている。第１の整流板２２は、空気抵抗が小さくなるような形状であれば良く、例えば半円形や半楕円形等の形状であっても良い。
【００３９】
次に、装置本体１２のフランジ部１４の構成について説明する。図１３（Ａ）はフランジ部１４の構成を示す平断面図であり、図１３（Ｂ）は第２の整流部３４の構成を示す要部拡大図である。図１４（Ａ）はフランジ部１４の構成を示す平面図であり、図１４（Ｂ）は吹出口４８の構成を示す図である。
【００４０】
図１および図１３（Ａ）に示すように、フランジ部１４は、その中央部に筒体１６と連通した開口を有する矩形状をなす平板部材であり、筒体１６の前端縁に一体形成されている。フランジ部１４には、後述するフロントパネル４０のボス部４２を着脱可能に装着させるための係合部２４が設けられる。
【００４１】
フランジ部１４には、図１、図１３（Ｂ）および図１４（Ｂ）に示すように、その周縁部から前方に延びる吹出角度調整部１５が設けられる。この吹出角度調整部１５は、後述する吹出口４８から吹き出される空気の吹出角度を調整するものである。吹出角度調整部１５の内面側は、空気を円滑に吹出口４８に送風するために傾斜面１５ａとなっている。
【００４２】
フランジ部１４の角部それぞれには、図１および図１４（Ａ）に示すように、フロントパネル４０をフランジ部１４と一定の間隔を隔てて対向させた状態で支持するための固定部２１が設けられる。固定部２１は、吹出角度調整部１５よりもさらに内側前方に傾斜して突出した平面視Ｌ字状の平板からなり、固定部２１の内側端面にはフロントパネル４０のそれぞれの角部を嵌め込むための段差部２１ａが形成される。
【００４３】
図１３（Ａ）および図１３（Ｂ）に示すように、第２の整流部３４は、ダクトから筒体１６を介して供給される空気を整流させて室内に吹き出させるものであり、フランジ部１４の角部のそれぞれ（４箇所）に吹出角度調整部１５の内壁面に沿うようにして設けられる。つまり、第２の整流部３４は吹出口４８の両端部に設けられる。この第２の整流部３４は、フランジ部１４の角部からその中心（開口部１７）方向に突出した突出部３４ａと、この突出部３４ａから左右の吹出口４８に向かって湾曲傾斜された湾曲面３４ｂ，３４ｂとを有する。このような構成により、フロントパネル４０を装着したときに、フロントパネル４０の風向調整板４６（図１３（Ａ）に示す破線）が突出部３４ａに当接し、フロントパネル４０の風向調整板４６の内周面４６ａと、第２の整流部３４の湾曲面３４ｂとで連続した平面を形成する。この連続した平面は、ダクトから供給される空気を所定の吹出口４８方向に誘導するための風路Ｍとして機能する。
【００４４】
フロントパネル４０は、図１、図４および図６に示すように、平面視矩形状からなるパネル本体５０と、このパネル本体５０を装置本体１２に着脱可能に取り付けるためのボス部４２と、ダクトから開口部１７を介して供給される空気の吹き出し方向（風向）を調節するための風向調整部としての風向調整板４６とを有する。
【００４５】
ボス部４２は、パネル本体５０の装置本体１２と対向した面（内面）側の対角線上であって、装置本体１２側の係合部２４と対向した位置（４箇所）に設けられる。ボス部４２の外側上端部には爪部４３が設けられ、この爪部４３を装置本体１２の係合部２４に係合させることで、フロントパネル４０が着脱可能に装置本体１２に取り付けられる。
【００４６】
風向調整板４６は、パネル本体５０の対向面５０ａから垂直に立設した平板であり、パネル本体５０と一体形成される。この風向調整板４６は、パネル本体５０の隣接した２辺に沿うようにして延在し、その曲部が円弧状に湾曲した略Ｌ字状に形成される。このような形状としたのは、本例では、換気グリルを部屋の天井の隅部に取り付けることを想定しており、部屋の壁面に近接した側の吹出口４８を風向調整板４６によって遮断するようにして効率的に空気を部屋に給気するためである。風向調整板４６の高さは、フロントパネル４０を装置本体１２に装着したときに、風向調整板４６の端面が装置本体１２のフランジ部１４の平面に当接するような高さに選定される。これにより、風向調整板４６と装置本体１２との間の隙間を無くし、空気が漏れ出すことなく、効率的に送風できる。
【００４７】
次に、吹出口４８の構成について説明する。
図１、図１４（Ａ）および図１４（Ｂ）に示すように、フロントパネル４０をフランジ部１４に装着すると、フランジ部１４とフロントパネル４０との間には、ダクトからの空気を室内に吹き出すための吹出口４８が形成される。詳細には、図１４（Ｂ）に示すように、ロントパネル４０の端縁と吹出角度調整部１５の前端縁１５ｂ（辺部）とフランジ部１４の隣り合う固定部２１,２１とによって区画された領域に吹出口４８が形成される。吹出口４８は、矩形状のフランジ部１４およびフロントパネル４０の４辺のそれぞれに形成され、４方向に空気を吹き出すことが可能となっている。
【００４８】
本例では、吹出口４８から吹き出される空気が天井面や壁面に沿って流れないような吹出角度、例えば天井７０に対して略３０°となるように、フランジ部１４およびフロントパネル４０の外形寸法を選定する。フランジ部１４の固定部２１の長さＤ１は、図１４（Ａ）に示すように、例えば２６〜３０ｍｍ程度に選定される。また、フロントパネル４０は、図１４（Ｂ）に示すようにフランジ部１４の外形よりも小さくなるように選定されており、フランジ部１４の周縁部はフロントパネル４０の縁部よりも外方向に長さＤ２だけ突出している。長さＤ２としては例えば１０〜１１ｍｍ程度である。突出したフランジ部１４の周縁部に設けられる吹出角度調整部１５の長さＤ４は、フロントパネル４０とフランジ部１４との間の距離Ｄ３よりも短くなるように選定される。長さＤ４としては例えば、９〜１０ｍｍ程度である。このようにフランジ部１４およびフロントパネル４０の外形寸法を選定することで、吹出角度θを略３０°に設定できる。
【００４９】
次に、換気グリル１０から吹き出される空気の風向を切り換える場合の動作について説明する。図１５は、換気グリル１０から吹き出される空気の風向を切り換える場合の動作を説明するための図である。
【００５０】
図１５に示すように、風向調整板４６（破線）の向きになるようにフロントパネル４０を装着すると、吹出口４８Ａから方向Ｈ１に空気が吹き出されると共に、吹出口４８Ｂから方向Ｈ２に空気が吹き出される。また、風向調整板４６（一点鎖線）の向きになるようにフロントパネル４０を装着すると、吹出口４８Ａから方向Ｈ１に空気が吹き出されると共に，吹出口４８Ｃから方向Ｈ３に空気が吹き出される。その他の方向Ｈ４についても同様にして切り換えることができる。このように本例の換気グリル１０では、フロントパネル４０の設置方向を変更することで、空気の吹き出し方向を調整できる。
【００５１】
次に、上述した換気グリル１０の風量調整板３１〜３３の開閉動作について説明する。図１６（Ａ）は換気グリル１０が全閉状態のときの構成を示す図であり、図１６（Ｂ）はその風量調整板３１〜３３の側面図である。図１７（Ａ）は換気グリル１０が半開状態のときの構成を示す図であり、図１７（Ｂ）はその風量調整板３１〜３３の側面図である。図１８（Ａ）は換気グリル１０が全開状態のときの構成を示す図であり、図１８（Ｂ）はその風量調整板３１〜３３の側面図である。
【００５２】
室内への空気の給気を遮断する場合には、図１６（Ａ）に示すように、３枚の風量調整板３１〜３３を平面的に重畳させずに配置させる。このとき、風量調整板３１は、図１６（Ｂ）に示すように、その突出部３１ａが後方の風量調整板３２の突出部３２ｃと係合し、風量調整板３１の時計方向の回動が規制（停止）される。同様に、風量調整板３２は、その突出部３２ａが後方の風量調整板３３の突出部３３ｃと係合し、風量調整板３３の時計方向の回動が規制される。これにより、筒体１６内の開口部１７が３枚の風量調整板３１〜３３および支持部材２０によって閉塞（全閉）され、ダクトからの空気が遮断され、室内への空気の吹き出しが停止される。
【００５３】
この全閉状態から、室内へ空気の給気をさせる場合には、最前端の風量調整板３１を軸部１８を支点として反時計周り方向に回動させていく。この回動により、図１７（Ａ）に示すように、風量調整板３１が風量調整板３２上に重なる。このとき、図１７（Ｂ）に示すように、風量調整板３１の突出部３１ｃが風量調整板３２の突出部３２ｃと係合するため、風量調整板３１の乗り越えが防止され、風量調整板３１単体での反時計方向の回動が規制される。これにより、風量調整板３１の面積分だけ筒体１６の開口部１７が開口され、この開口を介してダクトからの空気が室内に吹き出される。
【００５４】
さらに、重畳した風量調整板３１，３２を反時計周りに回動させていくと、図１８（Ａ）に示すように、２枚の風量調整板３１，３２が風量調整板３３上に重なった状態となる。このとき、１８（Ｂ）に示すように、風量調整板３２の突出部３２ｃが風量調整板３３の突出部３３ｃと係合し、風量調整板３２単体の反時計周りの回動が規制される。さらに、風量調整板３１〜３３を回動させていくと、支持部材２０の係止部によって風量調整板３３の回動が規制される。これにより、風量調整板３２の略面積分だけさらに筒体１６の開口部１７が開口され、この開口を介してダクトからの空気が室内に吹き出される。このとき、筒体１６の開口部１７の開口面積が最大（全開）となる。
【００５５】
このように、風量調整板３１を回動させていくと、この回動に連動して風量調整板３２，３３がこの順番で回動していき、筒体１６の開口部１７の開口面積の大きさを調整することができ、筒体１６を通過する空気の風量が調整される。
【００５６】
一方、上述した全開状態から全閉状態に切り換える場合には、上述した動作と逆の動作を行うことで、筒体１６の開口部１７を全開状態から全閉状態に切り換えてダクトからの空気を遮断することができる。
【００５７】
以上説明したように、本実施の形態によれば、風量調整板３１〜３３のそれぞれの外周部に弾性部材３６を設けることで、開口部１７が形成された装置本体１２の内周面１６ａと風量調整板３１〜３３との隙間を埋めることができる。これにより、空気が通過する際の風量調整板３１〜３３の振動を抑制でき、これに伴うビビリ音の発生を防止できる。
【００５８】
また、本実施の形態によれば、風量調整板３１の対向面にリブ３１ｆを設け、このリブ３１ｆを中央部から端部に向かって板厚が厚くなるように傾斜させるため、隣接した風量調整板３１，３２間の隙間をリブ３１ｆによって埋めることができる。これにより、隣接した風量調整板３１，３２を互いに密着させて重ねることができ、換気グリル１０の気密性を高めることができる。
【００５９】
また、フランジ部１４のそれぞれの角部では、第２の整流部３４によって吹出口４８方向への風路Ｍが形成されるため、筒体１６の開口部１７から空気は第２の整流部３４により乱流が生じることなく吹出口４８に送風される。これにより、吹き出される空気は天井に沿わないような（当たらないような）吹出角度θで吹出口４８から吹き出される。さらには、第２の整流部３４に加えて、フランジ部１４、吹出角度調整部１５およびフロントパネル４０の外形寸法のそれぞれを上述したような外形寸法（図１４（Ｂ）参照）とすることにより、より確実に吹出口４８から吹き出される空気を、天井や壁に沿わないように吹き出させることができる。よって、本実施の形態によれば、吹出口４８から吹き出される空気を、天井や壁に沿わないように吹き出すことで、空気が天井や壁に当たることによって生じる天井面の汚れやコールドドラフトを防止できる。
【００６０】
さらに、本実施の形態によれば、フロントパネル４０の取り付け方向を変更することで、パネル本体５０に一体形成された風向調整板４６の方向も同時に変更できるため、従来のようにパネル本体５０と風向調整板４６とを別々に設ける場合と比較して施工性の向上を図ることができる。
【００６１】
＜換気システム＞
次に、上述した換気グリル１０が適用される換気システム３００について説明する。図１９は、本発明の一実施形態に係る換気システム３００の構成を示す図である。
【００６２】
換気システム３００は、図１９に示すように、住宅の廊下Ｒ１および部屋Ｒ２の天井裏面に設置される。廊下Ｒ１と部屋Ｒ２とは壁２６０によって仕切られ、壁２６０の下部に設けられたガラリ（またはアンダーカット）２６０ａを介して廊下Ｒ１と部屋Ｒ２とが連通されている。
【００６３】
また換気システム３００は、外気を吸い込んで室内（部屋Ｒ２）に給気すると共に、室内（廊下Ｒ１，部屋Ｒ２）の空気を吸い込んで屋外に排気し、かつ、外気と室内の空気との間で熱交換を行う熱交換型の換気装置２００と、換気装置２００から吹き出された空気が吹き出される換気グリル１０ａと、室内（部屋Ｒ２）から吸い込んだ空気を換気装置２００に送る換気グリル１０ｂとを備える。本例において、換気グリル１０ａ，１０ｂは同一の部屋Ｒ２に設置されている。
【００６４】
まず、換気装置２００の構成について説明すると、換気装置２００は、外気ＯＡが吸い込まれる外部吸込口２２０ＯＡと、部屋Ｒ２への給気ＳＡが吹き出される給気吹出口２２０ＳＡと、部屋Ｒ２からの還気ＲＡが吸い込まれる室内吸込口２２０ＲＡと、屋外への排気ＥＡが排気される排気口２２０ＥＡを備える。また、換気装置２００の下部にはフロントパネル２５０が着脱可能に取り付けられ、このフロントパネル２５０には廊下Ｒ１の還気ＲＡを取り入れるためのパネル側吸込口２５２が形成される。
【００６５】
換気装置２００は、外部吸込口２２０ＯＡから給気吹出口２２０ＳＡへつながる給気風路２２１ＳＡが形成され、外部吸込口２２０ＯＡから外気ＯＡを吸い込み、給気吹出口２２０ＳＡから給気ＳＡを吹き出す送風ファン部２２２を備える。
【００６６】
また、換気装置２００は、室内吸込口２２０ＲＡ（副吸込口である換気グリル１０ｂ）およびパネル側吸込口２５２から排気口２２０ＥＡへつながる排気風路２２１ＥＡが形成され、室内吸込口２２０ＲＡおよびパネル側吸込口２５２から還気ＲＡを吸い込み、排気口２２０ＥＡから排気ＥＡを排気する換気ファン部２２３を備える。
【００６７】
さらに、外部吸込口２２０ＯＡから吸い込まれた外気ＯＡと室内吸込口２２０ＲＡおよびパネル側吸込口２５２から吸い込まれた還気ＲＡとの間で熱交換を行う熱交換素子２２４を備える。
【００６８】
送風ファン部２２２は送風手段の一例で、ファンモータ２２５に回転駆動される多翼のファン２２２ａと、風路を形成するファンケース２２２ｂを備える。また、換気ファン部２２３は換気手段の一例で、ファンモータ２２５に回転駆動される多翼のファン２２３ａと、風路を形成するファンケース２２３ｂを備える。
【００６９】
送風ファン部２２２は、ファン２２２ａの軸方向に沿ったファンケース２２２ｂの下面にファン吸込口２２２ｃが形成されると共に、ファン２２２ａの接線方向に沿ったファンケース２２２ｂの側面にファン吹出口２２２ｄが形成される。
【００７０】
また、換気ファン部２２３は、ファン２２３ａの軸方向に沿ったファンケース２２３ｂの下面にファン吸込口２２３ｃが形成されると共に、ファン２２３ａの接線方向に沿ったファンケース２２３ｂの側面にファン吹出口２２３ｄが形成される。
【００７１】
ファンモータ２２５は、本例では両軸のモータであり、駆動軸の上端側に送風ファン部２２２のファン２２２ａが取り付けられ、駆動軸の下端側に換気ファン部２２３のファン２２３ａが取り付けられて、送風ファン部２２２と換気ファン部２２３は、ファン吹出口２２２ｄとファン吹出口２２３ｄが逆向きとなるように、上下に重ねて配置される。
【００７２】
これにより、換気装置２００は、単一の駆動源で送風ファン部２２２と換気ファン部２２３が駆動され、送風ファン部２２２は、ファン２２２ａが回転駆動されると、空気がファン吸込口２２２ｃから吸い込まれてファン吹出口２２２ｄから吹き出される。また、換気ファン部２２３は、ファン２２３ａが回転駆動されると、空気がファン吸込口２２３ｃから吸い込まれてファン吹出口２２３ｄから吹き出される。
【００７３】
熱交換素子２２４は熱交換手段の一例で、給気風路２２１ＳＡを形成する素材と排気風路２２１ＥＡを形成する素材が、給気風路２２１ＳＡと排気風路２２１ＥＡを直交する向きとして積層される。熱交換素子２２４は、給気風路２２１ＳＡと排気風路２２１ＥＡが、熱伝導性を有すると共に空気を通さない隔壁で仕切られ、給気風路２２１ＳＡを通る空気と排気風路２２１ＥＡを通る空気との間で熱交換される。
【００７４】
換気装置２００は、熱交換素子２２４の給気風路２２１ＳＡ側の入口に給気フィルタ２２６ＳＡを備えると共に、熱交換素子２２４の排気風路２２１ＥＡ側の入口に排気フィルタ２２６ＥＡを備える。給気フィルタ２２６ＳＡと排気フィルタ２２６ＥＡは、図示しないガイドレール等に引き出し自在に支持されて、交換可能な構成である。
【００７５】
換気装置２００の外部吸込口２２０ＯＡにはダクト２０６ｂが連結され、ダクト２０６ｂの外壁２６２側の一端部には屋外フード２７０ｂが取り付けられる。換気装置２００の給気吹出口２２０ＳＡにはダクト２０４ａを介して換気グリル１０ａが接続される。屋外フード２７０ｂから換気装置２００に取り入れられた外気ＯＡは、熱交換素子２２４を介して給気ＳＡとして給気吹出口２２０ＳＡから換気グリル１０ａに送られ、換気グリル１０ａから部屋Ｒ２に給気ＳＡが吹き出される。本例の換気グリル１０ａによれば、天井７０に沿わないような吹出角度で換気グリル１０ａから給気ＳＡが吹き出される。
【００７６】
また、換気装置２００の排気口２２０ＥＡにはダクト２０６ａが連結され、ダクト２０６ａの外壁２６２側の一端部には屋外フード２７０ａが取り付けられる。換気装置２００の室内吸込口２２０ＲＡにはダクト２０４ｂを介して換気グリル１０ｂが接続される。部屋Ｒ２の換気グリル１０ｂから室内吸込口２２０ＲＡを介して吸い込まれた給気ＲＡおよび廊下Ｒ１のパネル側吸込口２５２から吸い込まれた給気ＲＡは、熱交換器２２４等を通過して屋外フード２７０ａから排出される。
【図面の簡単な説明】
【００７７】
【図１】本発明の一実施形態に係る換気グリルの構成を示す分解斜視図である。
【図２】換気グリルの構成を示す斜視図である。
【図３】換気グリルの裏面側の構成を示す斜視図である。
【図４】換気グリルの構成を示す断面図である。
【図５】装置本体の構成を示す平面図である。
【図６】フロントパネルの構成を示す斜視図である。
【図７】最前端に取り付けられる風量調整板の構成を示す図である。
【図８】風量調整板の外周部に設けられる弾性部の構成を示す図である。
【図９】最前端に取り付けられる風量調整板の裏面側の構成を示す図である。
【図１０】風量調整板の構成を示す図である。
【図１１】風量調整板のリブの機能例を説明するための図である。
【図１２】装置本体に設けられる第１の整流板の構成を示す図である。
【図１３】装置本体に設けられる第２の整流板の構成を示す図である。
【図１４】装置本体とフロントパネルとの間に形成される吹出口の構成を示す図である。
【図１５】フロントパネルの取付方向に応じた空気の吹出方向を説明するための図である。
【図１６】換気グリルの風量調整板の動作例を示す図である（その１）。
【図１７】換気グリルの風量調整板の動作例を示す図である（その２）。
【図１８】換気グリルの風量調整板の動作例を示す図である（その３）。
【図１９】換気グリルが適用された換気システムの構成を示す図である。
【符号の説明】
【００７８】
１０…換気グリル、  １２…装置本体、  １４…フランジ部、  １５…吹出角度調整板、  １６…筒体、  １７…開口部、  １８…軸部、  ２０…支持部材、  ２２…第１の整流板、  ３０…風量調整手段、  ３１…風量調整板、  ３１ｆ…リブ、  ３２…風量調整板、  ３３…風量調整板、  ３４…第２の整流板、  ３６…弾性部、  ３６ａ…ばね部、  ３６ｂ…突出部、  ４０…フロントパネル、  ４６…風向調整板、  ４８…吹出口、  ７０…天井、  ３００…換気システム
【図１】
0005045315.tif 000002
【図２】
0005045315.tif 000003
【図３】
0005045315.tif 000004
【図４】
0005045315.tif 000005
【図５】
0005045315.tif 000006
【図６】
0005045315.tif 000007
【図７】
0005045315.tif 000008
【図８】
0005045315.tif 000009
【図９】
0005045315.tif 000010
【図１０】
0005045315.tif 000011
【図１１】
0005045315.tif 000012
【図１２】
0005045315.tif 000013
【図１３】
0005045315.tif 000014
【図１４】
0005045315.tif 000015
【図１５】
0005045315.tif 000016
【図１６】
0005045315.tif 000017
【図１７】
0005045315.tif 000018
【図１８】
0005045315.tif 000019
【図１９】
0005045315.tif 000020